(57)【要約】【課題】  簡素な構造として製造コストを低くする。扉板の自動的な開放動作がなされるようにする。【解決手段】  扉板Ｂに一端部が連結され扉板Ｂを側板Ａに開閉可能に支持するリンクプレート１と、リンクプレート１の中途部を軸支してリンクプレート１を側板Ａに回動可能に支持する回動軸３と、リンクプレート１の他端部１ｄに連結されリンクプレート１を回動軸３を中心として扉板Ｂの開放方向に回転付勢する付勢部材１４と、扉板Ｂを閉鎖状態にロックするロック部材６とを備えている。リンクプレート１の回動軸３から一端部までの長さよりも回動軸３から他端部１ｄまでの長さを短くしてなる。【選択図】        図１
2008088798.tif 000002
【特許請求の範囲】
【請求項１】
扉板に一端部が連結され扉板を側板に開閉可能に支持するリンクプレートと、リンクプレートの中途部を軸支してリンクプレートを側板に回動可能に支持する回動軸と、リンクプレートの他端部に連結されリンクプレートを回動軸を中心として扉板の開放方向に回転付勢する付勢部材と、扉板を閉鎖状態にロックするロック部材とを備え、リンクプレートの回動軸から一端部までの長さよりも回動軸から他端部までの長さを短くしてなる扉開閉装置。
【請求項２】
請求項１の扉開閉装置において、リンクプレートと付勢部材とは連結点が変更可能であることを特徴とする扉開閉装置。
【請求項３】
請求項１または２の扉開閉装置において、回動軸と付勢部材とは側板に取付けられる共通の取付ベースに支持されていることを特徴とする扉開閉装置。
【請求項４】
請求項１〜３のいずれかの扉開閉装置において、リンクプレートは扉板への連結位置を調整可能であることを特徴とする扉開閉装置。
【請求項５】
請求項１〜４のいずれかの扉開閉装置において、付勢部材はガススプリングからなることを特徴とする扉開閉装置。
【請求項６】
請求項１〜４のいすれかの扉開閉装置において、付勢部材はコイルスプリングからなることを特徴とする扉開閉装置。
【請求項７】
請求項１〜６のいずれかの扉開閉装置において、ロック部材は一部がリンクプレートに設けられていることを特徴とする扉開閉装置。
【請求項８】
請求項１〜７のいずれかの扉開閉装置において、ロック部材は扉板の押動作でロック，ロック解除が交互になされるプッシュラッチ構造からなることを特徴とする扉開閉装置。
【発明の詳細な説明】
【技術分野】
【０００１】
本発明は、家具等に取付けられて扉板の自動的な開放動作がなされる扉開閉装置に係る技術分野に属する。
【背景技術】
【０００２】
最近、家具等に取付けられる扉開閉装置では、扉板に設けられた把手，ノブ等に手を掛けての扉板の開放動作の煩雑さや不便さを解消するために、扉板の開放動作を助勢する機構が備えられるようになってきている。
【０００３】
従来、扉開閉装置に扉板の開放動作を助勢する機構を備える技術としては、例えば、以下に記載のものが知られている。
【特許文献１】特開２００３−１２９７４２号公報  特許文献１には、扉板が回動軸で側板に開閉可能に支持され、扉板，側板の間に扉板を開放方向に付勢するバネ材が連結され、回動軸に回転速度を制動するギア噛合構造の制動部材が連結された扉開閉装置が記載されている。特許文献１に係る扉開閉装置は、扉板の閉鎖状態をロック部材で保持しておき、ロック部材の解除によりバネ材，制動部材で扉板の開放動作が適正な速度で自動的になされるようにしている。
【特許文献２】特開２００１−２４８３５５号公報  特許文献２には、扉板が形状の異なる２つのリンクプレートで側板に開閉可能に支持され、１つのリンクプレートと側板との間にバネ材が介装された扉開閉装置が記載されている。特許文献２に係る扉開閉装置は、扉板の開放動作に要する手の操作力をバネ材の収縮による引張力で軽減するようにしている。
【発明の開示】
【発明が解決しようとする課題】
【０００４】
特許文献１に係る扉開閉装置では、ギア噛合構造からなる制動部材が設けられているため、構造が複雑で製造コストが高くなるという問題点がある。また、特許文献２に係る扉開閉装置では、扉板の開放動作に要する手の操作力をバネ材で軽減することができるものの、扉板の自動的な開放動作を期待することができないという問題点がある。
【０００５】
本発明は、このような問題点を考慮してなされたもので、簡素な構造で製造コストが低く、しかも扉板の自動的な開放動作がなされる扉開閉装置を提供することを課題とする。
【課題を解決するための手段】
【０００６】
前述の課題を解決するため、本発明に係る扉開閉装置は、特許請求の範囲の各請求項に記載の手段を採用する。
【０００７】
即ち、請求項１では、扉板に一端部が連結され扉板を側板に開閉可能に支持するリンクプレートと、リンクプレートの中途部を軸支してリンクプレートを側板に回動可能に支持する回動軸と、リンクプレートの他端部に連結されリンクプレートを回動軸を中心として扉板の開放方向に回転付勢する付勢部材と、扉板を閉鎖状態にロックするロック部材とを備え、リンクプレートの回動軸から一端部までの長さよりも回動軸から他端部までの長さを短くしてなる。
【０００８】
この手段では、支点となる回動軸から作用点となるリンクプレートの一端部までの長さよりも力点となるリンクプレートの他端部までの長さを短くし、扉板の重量とともに扉板を自動的な開放動作させる付勢部材に対する負荷を大きくすることで、特許文献１に係る扉開閉装置におけるような制動部材を省略している。
【０００９】
また、請求項２では、請求項１の扉開閉装置において、リンクプレートと付勢部材とは連結点が変更可能であることを特徴とする。
【００１０】
この手段では、リンクプレートと付勢部材との連結点を変更することで、扉板の開閉速度が調整される。
【００１１】
また、請求項３では、請求項１または２の扉開閉装置において、回動軸と付勢部材とは側板に取付けられる共通の取付ベースに支持されていることを特徴とする。
【００１２】
この手段では、回動軸，付勢部材を共通の取付ベースに支持することで、付勢部材，リンクプレートの連結精度が確保される。
【００１３】
また、請求項４では、請求項１〜３のいずれかの扉開閉装置において、リンクプレートは扉板への連結位置を調整可能であることを特徴とする。
【００１４】
この手段では、リンクプレートの扉板への連結位置を調整することで、扉板のおさまりを調整することができる。
【００１５】
また、請求項５では、請求項１〜４のいずれかの扉開閉装置において、付勢部材はガススプリングからなることを特徴とする。
【００１６】
この手段では、付勢部材として全ストロークでほぼ一定の弾圧力を発揮する特性を有するガススプリングが選択される。
【００１７】
また、請求項６では、請求項１〜４のいすれかの扉開閉装置において、付勢部材はコイルスプリングからなることを特徴とする。
【００１８】
この手段では、付勢部材として弾性力を簡素な構造で発揮させ安価に提供されるコイルスプリングが選択される。
【００１９】
また、請求項７では、請求項１〜６のいずれかの扉開閉装置において、ロック部材は一部がリンクプレートに設けられていることを特徴とする。
【００２０】
この手段では、ロック部材の一部をリンクプレートに設けることで、ロック部材がリンクプレートの周囲に近接配置される。
【００２１】
また、請求項８では、請求項１〜７のいずれかの扉開閉装置において、ロック部材は扉板の押動作でロック，ロック解除が交互になされるプッシュラッチ構造からなることを特徴とする。
【００２２】
この手段では、ロック部材をプッシュラッチ構造とすることで、扉板を押すワンタッチ操作で扉板が自動的に開放される。
【発明の効果】
【００２３】
本発明に係る扉開閉装置は、支点となる回動軸から作用点となるリンクプレートの一端部までの長さよりも力点となるリンクプレートの他端部までの長さを短くし、扉板の重量とともに扉板を自動的な開放動作させる付勢部材に対する負荷を大きくすることで、特許文献１に係る扉開閉装置におけるような制動部材を省略しているため、簡素な構造で製造コストが低く、しかも扉板の自動的な開放動作がなされる効果がある。
【発明を実施するための最良の形態】
【００２４】
以下、本発明に係る扉開閉装置を実施するための最良の形態を図面に基づいて説明する。
【００２５】
図１〜図７は、本発明に係る扉開閉装置を実施するための最良の形態の第１例を示すものである。
【００２６】
第１例では、図７に示すように、食器棚のような箱形の側板Ａの前面に位置する扉板Ｂが上方へ回動され側板Ａの内部の上部にほぼ水平に収納されて開放されるものを示してある。
【００２７】
第１例は、図１〜図３に示すように、扉板Ｂを側板Ａに開閉可能に支持するリンクプレート１が取付板２を介して扉板Ｂに連結され回動軸３，取付ベース４を介して側板Ａに連結されている。
【００２８】
リンクプレート１は、４箇所の屈曲部１ａで全体として直状部分の両側にく字形部分を連続されたプレート本体１ｂを備えている。プレート本体１ｂの一端部には、方形板の取付部１ｃがＬ字形に屈曲形成されている。取付部１ｃは、取付板２に当接されおさまり調整のための長孔１ｅ（図６参照）に挿通される取付ネジ５で取付板２に位置調整されて取付け固定される。プレート本体１ｂの他端部１ｄには、後述の付勢部材１４の連結軸１４ｄが連結される連結孔１ｆが穿孔されている。プレート本体１ｂの最も他端部１寄りの屈曲部１ａは、回動軸３に回動可能に軸支されている。
【００２９】
リンクプレート１のプレート本体１ｂには、扉板Ｂを閉鎖状態にロックするロック部材６の一部が取付けられている。このロック部材６の一部は、プレート本体１ｂのほぼ中央部に下方へ向けて取付けられた突起形のキーパ６ａからなる。
【００３０】
取付板２は、平板形に形成されて扉板Ｂの裏面に当接され、取付ネジ７で扉板Ｂに取付け固定されている。
【００３１】
回動軸３は、図４に示すように、取付ベース４に裏面（外側面）から止ビス８で固定されている。回動軸３には、リンクプレート１のプレート本体１ｂの回動を精密に支えるためのスリーブ形のワッシャ９が嵌合されている。
【００３２】
取付ベース４は、平板形に形成されて側板Ａの側面に当接され、取付ネジ１０で側板Ａの側面に取付け固定される（図５参照）。取付ベース４の表面（内側面）には、図５に示すように、回動軸３，取付ベース４等を覆うカバー１１を取付けるためのナット１２が固定されている。カバー１１は、取付ベース４に対面する覆面１１ａと取付ベース４の縁辺の一部に当接する側面１１ｂとでカップ形に形成され、覆面１１ａの内側面のナット１２に対面する位置にスペーサを兼用するスリーブ形のネジ挿通孔１１ｃが突出して設けられている。このカバー１１は、ネジ挿通孔１１ｃに挿通されナット１２に螺合する取付ネジ１３で取付ベース４に取付け固定される。
【００３３】
取付ベース４には、扉板Ｂを閉鎖状態にロックするロック部材６の残る一部が取付けられている。ロック部材６の残る一部は、扉板Ｂの押動作でロック，ロック解除が交互になされるプッシュラッチ構造のラッチ６ｂからなる。ラッチ６ｂは、ロック状態でキーパ６ａを係合保持しロック解除状態でキーパ６ａを解放する。
【００３４】
さらに、取付ベース４には、リンクプレート１のプレート本体１ｂに連結されリンクプレート１を回動軸３を中心として扉板Ｂの開放方向に回転付勢する付勢部材１４が取付けられている。付勢部材１４は、シリンダ１４ａの内部にガスからなる流体を圧入してシリンダロッド１４ｂを突出方向へ弾圧するガススプリングからなる。ガススプリングからなる付勢部材１４は、図４に示すように、弾圧の支点となる基軸１４ｃが取付ベース４に裏面（外側面）から止ビス１５で固定され、シリンダロッド１４ｂに設けられた連結軸１４ｄがリンクプレート１のプレート本体１ｂの他端部１ｄの連結孔１ｆに連結されている。
【００３５】
第１例は、図６に示すように、左右対象の構造を１対として側板Ａの両側面に配置され、扉板Ｂを両持ち支持する取付けとなる。
【００３６】
第１例の扉板Ｂを開放するには、図２に示すように、扉板Ｂの下部（少なくとも回動軸３よりも下方）を軽く押圧するだけでよい。扉板Ｂの下部の押動作は、ロック部材６のキーパ６ａのラッチ６ｂからの解放をもたらす。この結果、図３に示すように、付勢部材１４のシリンダロッド１４ｂの進出する弾圧によって、リンクプレート１のプレート本体１ｂが回動軸３を中心として回動され、扉板Ｂが上方へ回動されて側板Ａの内部の上部にほぼ水平に収納されるように開放されることになる。即ち、扉板Ｂに把手，ノブ等が設けられていなくても、扉板Ｂへのワンタッチで扉板Ｂの自動的な開放動作が奏される。従って、台所の天井にまで余裕のない高い位置に設置されている食器棚に取付けると、片手のワンタッチで扉板Ｂを自動的に開放させ、扉板Ｂを天井に衝突させることなく食器棚の上部に収納するように邪魔にならない格好で開放させ、片手または両手で食器等を簡単，迅速に取出すことができて非常に便利である。
【００３７】
この扉板Ｂの開放動作では、支点となる回動軸３から作用点となるリンクプレート１のプレート本体１ｂの一端部（取付部１ｃ）までの長さよりも力点となるリンクプレート１のプレート本体１ｂの他端部１ｄ（連結孔１ｆ）までの長さを短くし、扉板Ｂの重量とともに扉板Ｂを自動的な開放動作させる付勢部材１４に対する負荷を大きくしている。従って、特許文献１に係る扉開閉装置におけるような制動部材を省略することができるため、構造が簡素化されて製造コストが低くなる。
【００３８】
また、付勢部材１４として全ストロークでほぼ一定の弾圧力を発揮する特性を有するガススプリングが採用されているため、伸縮の途中で弾圧力の変動が生ずるようなことがないため、扉板Ｂをスムースに開放することができる。また、回動軸３，付勢部材１４を共通の取付ベース４に支持することで、付勢部材１４，リンクプレート１（プレート本体１ｂ）の連結精度が確保されることも、扉板Ｂのスムースな開放に寄与している。
【００３９】
さらに、ロック部材６の一部（キーパ６ａ）をリンクプレート１のプレート本体１ｂに設け、ロック部材６の残る一部（ラッチ６ｂ）をリンクプレート１のプレート本体１ｂに近接した取付ベース４に取付けているため、ロック部材６がリンクプレート１の周囲に近接配置されて全体の構造がコンパクトになっている。
【００４０】
なお、扉板Ｂを閉鎖するには、付勢部材１４の弾圧に抗して扉板Ｂを押下げるように回動させればよい。扉板Ｂが閉鎖されると、自動的にロック部材６によって扉板Ｂの閉鎖状態がロックされる。
【００４１】
図８は、本発明に係る扉開閉装置を実施するための最良の形態の第２例を示すものである。
【００４２】
第２例は、ロック部材６を側板Ａの下面と扉板Ｂの内側面の下部とに一部ずつ設けている。
【００４３】
第２例によると、ロック部材６が扉板Ｂに近接されるため、扉板Ｂを軽く押した際のロック部材６の応動性を第１例よりも高めることができる。
【００４４】
図９は、本発明に係る扉開閉装置を実施するための最良の形態の第３例を示すものである。
【００４５】
第３例は、左右対象の構造を１対として天板Ｃ，底板Ｄの側面に配置され、扉板Ｂを両持ち支持する取付けとしてある。
【００４６】
第３例によると、扉板Ｂを左右方向へ開放することができる。なお、第３例を開閉方向へ対称に配置することで、扉板Ｂの観音開き構造を実現することができる。
【００４７】
図１０は、本発明に係る扉開閉装置を実施するための最良の形態の第４例を示すものである。
【００４８】
第４例は、付勢部材１６としてコイルスプリングを採用している。コイルスプリングからなる付勢部材１６は、コイル部１６ａの両端部にリング形の連結環１６ｂが設けられている。一方の連結環１６ｂは、取付ベース４に固定された取付ピン１７（第１例のガススプリングからなる付勢部材１４の基軸１４ｃに対応する位置にある）に係止されている。他方の連結環１６ｂは、リンクプレート１のプレート本体１ｂの他端部１ｄに取付けられた連結軸１ｇ（第１例の連結孔１ｆに代替）に係止されている。
【００４９】
さらに、第４例では、リンクプレート１のプレート本体１ｂの他端部１ｄが第１例とは逆の方向に屈曲されている。
【００５０】
第４例によると、コイルスプリングからなる付勢部材１６を引張力が作用するように掛渡しておくことで、リンクプレート１を回動軸３を中心として扉板Ｂの開放方向に回転付勢するように作用させることができる。
【００５１】
また、コイルスプリングからなる付勢部材１６が弾性力を簡素な構造で発揮させ安価に提供されるため、全体の構造を簡素化することができるとともに製造コストを低減することができる。
【００５２】
図１１は、本発明に係る扉開閉装置を実施するための最良の形態の第５例を示すものである。
【００５３】
第５例は、第１例において、リンクプレート１のプレート本体１ｂの他端部１ｄに穿孔されている連結孔１ｆを複数個並列させてある。
【００５４】
第５例によると、複数個の連結孔１ｆを選択して付勢部材１４の連結軸１４ｄを連結させ、リンクプレート１，付勢部材１４の連結点を変更することで、リンクプレート１のプレート本体１ｂの回動のトルクを可変して、扉板Ｂの開閉速度を調整することができる。従って、扉板Ｂが急激に開放されて周囲部材が損傷したり、扉板Ｂが緩慢に開放されて途中で停止したりするようなことはない。
【００５５】
なお、第５例では、リンクプレート１，付勢部材１４の連結点の変更にともなってリンクプレート１の回動域が変化するのに対応して、取付ベース４にストッパ１８を取付けてリンクプレート１の必要以上の回動を阻止している。
【００５６】
図１２は、本発明に係る扉開閉装置を実施するための最良の形態の第６例を示すものである。
【００５７】
第６例は、リンクプレート１の取付部１ｃに設けられている長孔１ｅの長軸を第１例と直交する方向に設定し、長孔１ｅに取付ネジ５の頭部よりも大径の大孔１ｈを連通させてある。また、リンクプレート１の取付部１ｃの端部には、取付板２に螺合された第１の調整ネジ２０が当接する舌片形の受座１ｊが突出形成されている。また、リンクプレート１の取付部１ｃの中央部には、取付板２に突当てられる第２の調整ネジ１９が螺合されるネジ孔１ｉが設けられている。
【００５８】
また、取付板２には、取付ネジ５が螺合されるネジ孔２ａと、リンクプレート１の取付部１ｃの当接面側に突出形成され第１の調整ネジ２０が螺合される軸受２ｂと、長軸がリンクプレート１の長孔１ｅの長軸と直交されて取付ネジ７が挿通される長孔２ｃとが設けられている。
【００５９】
第６例によると、扉板Ｂに取付ネジ７を仮締めして、扉板Ｂに対して取付板２をスライドさせて、第１例と同一の方向（例えば、左右方向）ａで扉板Ｂのおさまり調整を行うことができる。扉板Ｂのおさまり調整の後には、取付ネジ７を本締めすることになる。
【００６０】
また、扉板Ｂに取付け固定された取付板２に設けられているネジ孔２ａに螺合させた取付ネジ５に対して、リンクプレート１ｂの取付部１ｃに設けられている大孔１ｈを挿通させるようにして、取付板２にリンクプレート１の取付部１ｃを当接させることができる。そして、取付ネジ５を仮締め状態としたまま、第１の調整ネジ２０を回動させることによって、取付板２に対してリンクプレート１の取付部１ｃをスライドさせて第１例と直交する方向（例えば、上下方向）ｂで扉板Ｂのおさまり調整を行うことができる。さらに、取付ネジ５を仮締め状態としたまま、第２の調整ネジ１９を回動させることによって、取付板２とリンクプレート１ｂの取付部１ｃとの間隔を規制して第１例と直交する方向（例えば、前後方向）ｃで扉板Ｂのおさまり調整を行うことができる。扉板Ｂのおさまり調整の後には、取付ネジ５を本締めすることになる。
【００６１】
この結果、第６例では、左右上下前後等の直交する３方向ａ，ｂ，ｃでの扉板Ｂのおさまり調整が実現される。
【００６２】
以上、図示した各例の外に、付勢部材１４，１６として他の構造のものを選択することも可能である。
【００６３】
さらに、ロック部材６としてプッシュラッチ構造以外のものを選択することも可能である。
【００６４】
さらに、リンクプレート１の取付部１cを拡大して、扉板Ｂを片持ち支持する取付けとすることも可能である。
【産業上の利用可能性】
【００６５】
本発明に係る扉開閉装置は、小物家具類に好適に適用され、家具以外の開閉構造一般にも適用が可能である。
【図面の簡単な説明】
【００６６】
【図１】本発明に係る扉開閉装置を実施するための最良の形態の第１例の断面図である。
【図２】図１の開放初期動作図である。
【図３】図１の開放完了動作図である。
【図４】図１の要部の拡大横断面図である。
【図５】図１の他の要部の拡大横断面図である。
【図６】図１の取付例を示す斜視図である。
【図７】図６の動作を示す側面図である。
【図８】本発明に係る扉開閉装置を実施するための最良の形態の第２例の側面図である。
【図９】本発明に係る扉開閉装置を実施するための最良の形態の第３例の斜視図である。
【図１０】本発明に係る扉開閉装置を実施するための最良の形態の第４例の断面図である。
【図１１】本発明に係る扉開閉装置を実施するための最良の形態の第５例の断面図である。
【図１２】本発明に係る扉開閉装置を実施するための最良の形態の第６例の要部の斜視図であり、（Ａ）に分解状態が示され、（Ｂ）に組付け状態が示されている。
【符号の説明】
【００６７】
１          リンクプレート
１ｂ        プレート本体
１ｆ        連結孔（連結点）
３          回動軸
４          取付ベース
６          ロック部材
６ａ        キーパ
６ｂ        ラッチ
１４        付勢部材（ガススプリング）
１６        付勢部材（コイルスプリング）
Ａ            側板
Ｂ            扉板
Ｃ            天板
Ｄ            底板
【図１】
2008088798.tif 000003
【図２】
2008088798.tif 000004
【図３】
2008088798.tif 000005
【図４】
2008088798.tif 000006
【図５】
2008088798.tif 000007
【図６】
2008088798.tif 000008
【図７】
2008088798.tif 000009
【図８】
2008088798.tif 000010
【図９】
2008088798.tif 000011
【図１０】
2008088798.tif 000012
【図１１】
2008088798.tif 000013
【図１２】
2008088798.tif 000014